(57)【要約】【課題】耐振性を向上させることのできるコネクタを提供する。【解決手段】相手コネクタが嵌合し雄側端子部が突出する嵌合フード部が形成された雌コネクタと、雌端子が収容される雌側端子収容部を備え雌端子に接続された電線が電線引出側の後端部から引き出される雄コネクタと、雄コネクタの電線引出側後端部に取り付けられて引き出された電線を集束する電線規制カバーと、から構成されるコネクタであって、雌コネクタの嵌合フード部の内壁には、雄コネクタの挿入方向に沿って突起部挿入溝が形成され、電線規制カバーには、雄コネクタの電線引出側後端部を覆うカバー本体部が形成され、該カバー本体部には、嵌合フード部への雄コネクタの挿入方向前方側の前端部に、雌コネクタの突起部挿入溝と雄コネクタの外周面との間に挿入されて嵌合フード部の内壁と雄コネクタの外周との隙間を埋める突起部が形成されていることを特徴とする。【選択図】図２
2014053167.tif 000002
【特許請求の範囲】
【請求項１】
相手コネクタが嵌合し雄側端子部が突出する嵌合フード部が一体に形成された雌コネクタと、
前記雌コネクタの嵌合フード部に嵌合し前記雄側端子部と接続される雌端子が収容される雌側端子収容部を備え前記雌端子に接続された電線が電線引出側の後端部から引き出される雄コネクタと、
前記雄コネクタの前記電線引出側後端部に取り付けられて引き出された複数本の電線を集束する電線規制カバーと、から構成されるコネクタであって、
前記雌コネクタの前記嵌合フード部の内壁には、雄コネクタの挿入方向に沿って突起部挿入溝が形成され、
前記電線規制カバーには、前記雄コネクタの電線引出側後端部を覆うカバー本体部が形成され、
該カバー本体部には、前記嵌合フード部への前記雄コネクタの挿入方向前方側の前端部に、前記雌コネクタの突起部挿入溝と前記雄コネクタの外周面との間に挿入されて前記嵌合フード部の内壁と前記雄コネクタの外周との隙間を埋める突起部が形成されていることを特徴とするコネクタ。
【請求項２】
請求項１記載のコネクタであって、
前記突起部には、前記嵌合フード部側に突出する係止片が設けられ、
前記雌コネクタの嵌合フード部に前記係止片が係止される係止部が設けられ、前記係止片が前記係止部に係止されることで前記電線規制カバーが前記雄コネクタに組み付けられることを特徴とするコネクタ。
【請求項３】
請求項１又は請求項２記載のコネクタであって、
前記雄コネクタの電線引出側の後端部に、前記突起部を前記嵌合フード部と前記雄コネクタの外周面との間に案内する突起部挿入案内部が形成されていることを特徴とするコネクタ。
【発明の詳細な説明】
【技術分野】
【０００１】
本発明は、コネクタに関し、特に電線規制カバーを装着するコネクタに関するものである。
【背景技術】
【０００２】
従来、コネクタは、雄側コネクタと雌側のコネクタとで形成され、これらが嵌合される。雄側コネクタ又は雌側コネクタのどちらか一方のコネクタには、導電部材が収容されて、他方のコネクタ内に配置された端子が導電部材と接触することで電気的に接続される。この導電部材に電気を流すための電線がコネクタに接続されており、コネクタの一端側からは電線が引き出される。このように引き出された電線は、特許文献１に示すように集束され、コネクタの一方向に規制するため、コネクタの電線引出側に電線規制カバーが取り付けられている。
【先行技術文献】
【特許文献】
【０００３】
【特許文献１】特開２００４−３５０３４２
【発明の概要】
【発明が解決しようとする課題】
【０００４】
しかしながら、従来のコネクタでは電線規制カバーを雄コネクタ又は雌コネクタの電線引出側に取り付けた際に、電線規制カバーを取り付けた側のコネクタの重量が増すため、雄コネクタと雌コネクタとを嵌合した際に、雌コネクタの内壁と雄コネクタの外周との間に隙間が生じている場合、電線規制カバーを取り付けた側のコネクタが振動しやすくなり、電線規制カバーを取り付けた側のコネクタの耐振性が低下するという課題があった。
【０００５】
そこで、本発明は、電線引出側の後端側に電線規制カバーが取り付けられたコネクタの耐振性を向上させるコネクタを提供することを目的としている。
【課題を解決するための手段】
【０００６】
そこで、本発明は上記の課題を解決するために、請求項１記載の発明では、相手コネクタが嵌合し雄側端子部７が突出する嵌合フード部６が一体に形成された雌コネクタ２と、前記雌コネクタ２の嵌合フード部６に嵌合し前記雄側端子部７と接続される雌端子が収容される雌側端子収容部１９を備え前記雌端子に接続された電線が電線引出側の後端部から引き出される雄コネクタ３と、前記雄コネクタ３の前記電線引出側後端部に取り付けられて引き出された複数本の電線を集束する電線規制カバー４と、から構成されるコネクタ１であって、前記雌コネクタ２の前記嵌合フード部６の内壁には、雄コネクタ３の挿入方向に沿って突起部挿入溝１１が形成され、前記電線規制カバー４には、前記雄コネクタ３の電線引出側後端部を覆うカバー本体部２１が形成され、該カバー本体部２１には、前記嵌合フード部６への前記雄コネクタ３の挿入方向前方側の前端部に、前記雌コネクタ２の突起部挿入溝１１と前記雄コネクタ３の外周面２０との間に挿入されて前記嵌合フード部６の内壁と前記雄コネクタ３の外周との隙間を埋める突起部２９が形成されていることを特徴とする。
【０００７】
また、請求項２の発明では、請求項１記載のコネクタ１であって、前記突起部２９には、前記嵌合フード部６側に突出する係止片３９が設けられ、前記雌コネクタ２の嵌合フード部６に前記係止片３９が係止される係止部１５が設けられ、前記係止片３９が前記係止部１５に係止されることで前記電線規制カバー４が前記雄コネクタ３に組み付けられることを特徴とする。
【０００８】
さらに、請求項３の発明では、請求項１または２に記載のコネクタ１であって、前記雄コネクタ３の電線引出側の後端部に、前記突起部２９を前記嵌合フード部６と前記雄コネクタ３の外周面２０との間に案内する突起部挿入案内部２５が形成されていることを特徴とする。
【発明の効果】
【０００９】
請求項１記載の発明によれば、カバー本体部２１には、嵌合フード部６への雄コネクタ３の挿入方向前方側の前端部に、雌コネクタ２の突起部挿入溝１１と雄コネクタ３の外周面２０との間に挿入されて嵌合フード部６の内壁と雄コネクタ３の外周との隙間を埋める突起部２９が形成されていることにより、雄コネクタ３と雌コネクタ２との間に生じる隙間を電線規制カバー４に形成された突起部２９が挿入されるため、雄コネクタ３と雌コネクタ２との間に生じる隙間を突起部２９によって埋めることができる。
【００１０】
請求項２記載の発明によれば、請求項１記載の効果に加え、突起部２９の設けられた係止片３９が雌コネクタ２の側壁８に形成された係止部１５に係止されるので、電線規制カバー４を確実に雌コネクタ２に係止することができる。
【００１１】
請求項３記載の発明によれば、雄コネクタ３の電線引出側の後端部に、突起部２９を嵌合フード部６と雄コネクタ３の外周面２０との間に案内する突起部挿入案内部２５が形成されているため、突起部２９を確実に突起部挿入溝１１に案内することができる。
【図面の簡単な説明】
【００１２】
【図１】本発明のコネクタの分解斜視図。
【図２】本発明のコネクタの組み付け途中を示す斜視図。
【図３】本発明のコネクタの組み付け完成状態を示す斜視図。
【図４】（ａ）本発明のコネクタの上面図、（ｂ）図４（ａ）のＡ−Ａ線断面図。
【図５】本発明のコネクタの変形例を示す組み付け途中を示す斜視図。
【図６】本発明のコネクタの変形例を示す組み付け完成状態を示す斜視図。
【発明を実施するための形態】
【００１３】
以下、本発明の実施の形態について、図１〜６を用いて詳細に説明する。
【００１４】
図１〜４に示すように、本発明のコネクタ１は、相手コネクタが嵌合し雄側端子部７が突出する嵌合フード部６が一体に形成された雌コネクタ２と、雌コネクタ２の嵌合フード部６に嵌合し雄側端子部７と接続される雌端子が収容される雌側端子収容部１９を備え雌端子に接続された電線が電線引出側の後端部から引き出される雄コネクタ３と、雄コネクタ３の電線引出側後端部に取り付けられて引き出された複数本の電線を集束する電線規制カバー４と、雌コネクタ２内に配置されて雄コネクタ３の端部との間で狭持されるパッキン５と、から構成されている。
【００１５】
雌コネクタ２は、相手コネクタが嵌合して雄側端子部７が突出する嵌合フード部６と、雌コネクタ２の嵌合フード部６に嵌合し雌側端子と接続される雄側端子部７が収容される端子収容部１６と、雌コネクタ２の一端に形成される取付部９と、から構成されている。
【００１６】
嵌合フード部６は、一面側を開口した略角筒状に形成されており、側壁８と底面壁１０を有している。側壁８の内周側には、雄コネクタ３の挿入をガイドする雄コネクタガイド溝１３と、後述する突起部２９が挿入される突起部挿入溝１１と、が挿入方向に沿って形成され、側壁８の外周側には、他のコネクタや取り付け箇所に取り付けるためのロック手段１８が形成されている。また、嵌合フード部６の内周側の底面壁１０には、上述したパッキン５が当接して配置される。
【００１７】
側壁８の内周側に形成される突起部挿入溝１１は、内壁側から外壁側へ突出するように形成されている。この突起部挿入溝１１には、後述する電線規制カバー４に設けられる突起部２９が圧入される。
【００１８】
端子収容部１６は、嵌合フード部６の内側に形成されて、雄側端子部７を収容している。端子収容部１６に収容される雄側端子部７は、底面壁１０側から開口側に端子が突出するように配置されている。
【００１９】
取付部９は、雌コネクタ２の一側の側壁８から延設されて形成されており、所望の取り付け箇所に取り付けられる。
【００２０】
雌コネクタ２に取り付けられる雄コネクタ３は、端子収容部１６の内径とほぼ同じ大きさに外径が形成された本体部１７と、図示しない雌端子を収容する雌側端子収容部１９と、から構成されている。
【００２１】
嵌合フード部６の内周と略同形状に形成される本体部１７は、雌コネクタ２の端子収容部１６に収容されるように挿入される。
【００２２】
本体部１７に隣接して設けられる雌側端子収容部１９には、図示しない雌側端子が収容されており、雌コネクタ２の雄側端子部７と電気的に接続される。
【００２３】
雄コネクタ３の雌側端子収容部１９に沿って立設される突起部挿入案内部２５と、本体部１７の外周には雌コネクタ２への挿入をガイドするガイド突起２７が形成されている。このガイド突起２７は、本体部１７の外周面２０に複数箇所設けられている。
【００２４】
突起部挿入案内部２５は、電線規制カバー４に固定する固定部３１と、電線規制カバー４の組み付けを案内する凹部３３と、から構成されている。
【００２５】
固定部３１は、コネクタの挿入方向に直交する方向に突設して設けられ図示しない電線規制カバー４の内部に形成された固定手段によって電線規制カバー４と雄コネクタ３を固定している。
【００２６】
固定部３１とともに雌側端子収容部１９に隣接して設けられる凹部３３は、後述する電線規制カバー４の突起部２９の挿入を規制するように挿入方向に沿って凹設して形成されている。
【００２７】
図２に示すように、電線規制カバー４は、雄コネクタ３の雌側端子収容部１９を覆うカバー本体部２１と、電線を集束する電線集束部２２と、電線集束部２２によって集束された電線を引き出す電線挿通孔２３と、から構成されている。
【００２８】
電線を引き出す後端側を覆うカバー本体部２１は、雌側端子収容部１９を内部に覆うようにコネクタに取り付けられる。また、カバー本体部２１の組み付け挿入方向前方側の前端部には、突起部２９が立設されている。この突起部２９の厚さは、雌コネクタ２に形成された突起部挿入溝１１の突出高さよりも突起部２９の厚みの方が大きく設定されている。
【００２９】
また、突起部２９は、カバー本体部２１の挿入方向前方側の前端部に複数箇所設けることが好ましく、本実施例では、カバー本体部２１に突起部２９を電線規制カバー４の長辺に１箇所の長辺側突起部３５と、短辺に２箇所の短辺側突起部３７と、を設けたものについて説明する。
【００３０】
さらに、突起部２９の内壁側に突起部挿入案内部２５の凹部３３に規制される規制部を設けてもよい。さらにまた、突起部２９の先端部３６、３８には、組み付けを容易にするために傾斜面を設けてもよい。
【００３１】
電線集束部２２は、後述する電線挿通孔２３に向けて電線を集束するもので、カバー本体部２１の突起部２９の他端側に設けられて電線挿通孔２３に向けて傾斜面が形成されている。
【００３２】
電線集束部２２に連設して設けられる電線挿通孔２３は、内部で電線集束部２２によって集束された電線を引き出している。
【００３３】
次に、コネクタの組み付け方法について説明する。
【００３４】
まず、雌コネクタ２の底面壁１０にパッキン５を取り付け、その後雄コネクタ３を雌コネクタ２に挿入する。雄コネクタ３を雌コネクタ２に挿入する際、嵌合フード部６の側壁８に形成される雄コネクタガイド溝１３に雄コネクタ３に形成されるガイド突起２７を挿入する。
【００３５】
そして、図２に示すように雄コネクタ３の本体部１７を雌コネクタ２の端子収容部１６に挿入することで、図示しない雌側端子と雄側端子部７が電気的に接続される。
【００３６】
この状態から、雌側端子収容部１９を覆うように電線規制カバー４を挿入する。この際、電線規制カバー４の開口に設けられた突起部２９（短辺側突起部３７）を雄コネクタ３の突起部挿入案内部２５の凹部３３に摺動させながら、雌コネクタ２の突起部挿入溝１１（短辺側挿入溝１４）と雄コネクタ３の本体部１７の外周面２０との間に圧入する。なお、短辺側突起部３７を短辺側挿入溝１４に圧入すると同時に、長辺側突起部３５も雄コネクタ３の本体部１７の外周面２０と長辺側挿入溝１２の間に圧入する。
【００３７】
上記のような構成とすることにより、カバー本体部２１には、雌コネクタ２の突起部挿入溝１１と雄コネクタ３の本体部１７の外周面２０との間に挿入される突起部２９が形成されていることにより、雄コネクタ３と雌コネクタ２との間に生じる隙間を電線規制カバー４に形成された突起部２９が挿入されるため、雄コネクタ３と雌コネクタ２との間に生じる隙間を突起部２９によって埋めることができる。加えて、突起部２９の厚さを突起部挿入溝１１の突出高さよりも厚くすることで、雌コネクタ２と雄コネクタ３との隙間を確実に埋めることができ、雄コネクタ３が雌コネクタ２内で振動することを防止することができる。
【００３８】
また、突起部２９の設けられた係止片３９が雌コネクタ２の側壁８に形成された係止部１５に係止されるので、電線規制カバー４を確実にコネクタ１に係止することができる。
【００３９】
さらに、雄コネクタ３の雌側端子収容部１９の側面には、カバー本体部２１に形成される突起部２９を嵌合フード部６と雄コネクタ３の外周面２０との間に案内する突起部挿入案内部２５が形成されているため、突起部２９を確実に突起部挿入溝１１に案内することができる。
【００４０】
また、図５，６に示すように、本願発明の電線規制カバー４の突起部２９に嵌合フード部６側に突出する係止片３９を設け、雌コネクタ２の側壁８に係止部１５を設けても良い。
【００４１】
すなわち、係止片３９が係止部１５に係止することにより、電線規制カバー４と雌コネクタ２とが確実に係止することができるため、突起部２９が突起部挿入溝１１から抜け出ることを防止することができる。
【００４２】
また、係止片３９の先端は、挿入側から挿入後方側へ徐々に隆起するようにテーパ形状にすることによって、係止片３９を係止部１５へ容易に係止させることができる。
【産業上の利用可能性】
【００４３】
本発明は、コネクタを覆うカバーを用いるコネクタに利用することができる。
【符号の説明】
【００４４】
１  コネクタ
２  雌コネクタ
３  雄コネクタ
４  電線規制カバー
７  雄側端子部
１１  突起部挿入溝
１７  本体部
１９  雌側端子収容部
２０  外周面
２１  カバー本体部
２９  突起部
【図１】
2014053167.tif 000003
【図２】
2014053167.tif 000004
【図３】
2014053167.tif 000005
【図４】
2014053167.tif 000006
【図５】
2014053167.tif 000007
【図６】
2014053167.tif 000008